(57)【要約】【課題】前面扉の開きを介して行われる所謂「ゴト行為」等の不正行為を防止することが可能な遊技機を提供すること。【解決手段】パチスロ機１では、ヒンジ８Ｌ等によって、前面扉３が筐体２の上方で横軸回りに回動自在に取り付られている。よって、前面扉３の開閉方向は、下側から上側に向かう縦開きである。また、主制御回路基板１２が筐体２内の上方に位置している。さらに、前面扉３の縦開き状態のときは、筐体２と前面扉３の両側間が平型ジャバラ４Ｌ等によって上端２Ａ，３Ａから下端２Ｂ，３Ｂの付近まで塞がれる。【選択図】図５
2015100371.tif 000002
【特許請求の範囲】
【請求項１】
前面が開口された筐体と、前記筐体の前面側に取り付けられた前面扉と、前記筐体内に固設された主制御回路基板と、を有する遊技機であって、
前記前面扉が前記筐体の上方で横軸回りに回動自在に取り付られ、
前記主制御回路基板が前記筐体内の上方に位置し、
前記前面扉の開閉によって伸縮する右側防護部が前記前面扉の上方右側端と前記筐体の上方右側端との間に設けられ、
前記前面扉の開閉によって伸縮する左側防護部が前記前面扉の上方左側端と前記筐体の上方左側端との間に設けられたこと、を特徴とする遊技機。
【請求項２】
請求項１に記載する遊技機であって、
前記右側防護部と前記左側防護部とが透明であること、を特徴とする遊技機。
【発明の詳細な説明】
【技術分野】
【０００１】
本発明は、パチスロ機又はパチンコ機等の遊技機に関するものである。
【背景技術】
【０００２】
従来より、パチスロ機又はパチンコ機等の遊技機では、例えば、図９に表された各遊技機（ここでは、パチスロ機）３００のように、前方に開口した筐体３０１の一辺側において、前面扉３０２が縦軸３０３の廻りに開閉自在に取り付けられていた。
【０００３】
さらに、詳しくに言えば、従来の遊技機（図９では、パチスロ機）３００の前面扉３０２の開閉方向は、右側から左側に向かう所謂「左ヒンジ右開き筐体」の横開きしかなく、全てのメーカーや機種で共通化されていた。
【０００４】
この共通化により、各遊技機（パチスロ機）３００では、例えば、メダルが不足気味になった場合には、店員３０４がためらうことなく前面扉３０２を右側から左側に向かって横開きすることで、店員３０４はメダルをスムーズに補充することができた。
【０００５】
また、図９に表された各遊技機３００が仮にパチンコ機である場合では、例えば、遊技球が遊技盤上で詰まった場合には、店員３０４がためらうことなく前面扉３０２を右側から左側に向かって横開きすることで、店員３０４は遊技盤における遊技球の詰まりをスムーズに直すことができた。
【０００６】
尚、図９では、各遊技機（パチスロ機）３００の間にはサンド３０５が設置されている。また、無色透明な各分煙ボード３０６によって、各遊技機（パチスロ機）３００が仕切られている。
【先行技術文献】
【特許文献】
【０００７】
【特許文献１】特開２０１３−３４６４２号公報
【発明の概要】
【発明が解決しようとする課題】
【０００８】
しかしながら、従来の遊技機（図９では、パチスロ機）の前面扉３０２の開閉方向は、右側から左側に向かう所謂「左ヒンジ右開き筐体」の横開きしかないため、前面扉３０２を右側から左側に少し横開きしただけで、簡単にさっと手を前面扉３０２内に入れることができる。そのため、前面扉３０２の鍵さえもっていれば、目立つことなく前面扉３０２を簡単にさっと横開きし、所謂「ゴト行為」等の不正行為をすることができてしまう。
【０００９】
つまり、所謂「ゴト行為」等の不正行為は、前面扉３０２の横開き角度が小さくとも行えることができる。従って、例えば、図９に表されたように、所謂「ゴト行為」等を行おうとする者３０７は、店員３０４やＴＶカメラ３０８だけでなく、隣席に座っている他の遊技者３０９，３１０からも見つかり難かった。
【００１０】
そこで、本発明は、上述した点を鑑みてなされたものであり、前面扉の開きを介して行われる所謂「ゴト行為」等の不正行為を防止することが可能な遊技機を提供することを課題とする。
【課題を解決するための手段】
【００１１】
この課題を解決するためになされた請求項１に係る発明は、前面が開口された筐体と、前記筐体の前面側に取り付けられた前面扉と、前記筐体内に固設された主制御回路基板と、を有する遊技機であって、前記前面扉が前記筐体の上方で横軸回りに回動自在に取り付られ、前記主制御回路基板が前記筐体内の上方に位置し、前記前面扉の開閉によって伸縮する右側防護部が前記前面扉の上方右側端と前記筐体の上方右側端との間に設けられ、前記前面扉の開閉によって伸縮する左側防護部が前記前面扉の上方左側端と前記筐体の上方左側端との間に設けられたこと、を特徴とする。
【００１２】
請求項１に係る発明の遊技機では、前面扉が筐体の上方で横軸回りに回動自在に取り付られている。よって、前面扉の開閉方向は、下側から上側に向かう縦開きである。また、主制御回路基板が筐体内の上方に位置している。
【００１３】
従って、所謂「ゴト行為」等の不正行為をする者は、筐体内の上方に位置した主制御回路基板に接触するには、前面扉を下側から上側に向けて縦開き角度を大きくしなけければならない。そのためには、所謂「ゴト行為」等の不正行為をする者自らが席を立たなければならず、所謂「ゴト行為」等の不正行為を行い難い。従って、店員やＴＶカメラだけでなく、隣席に座っている他の遊技者からも見つかり易い。また、その際に、無反応な遊技者が近隣に存在すれば、その無反応な遊技者は、所謂「ゴト行為」等の不正行為をする仲間である可能性がある。
【００１４】
また、請求項１に係る発明の遊技機では、前面扉は下側から上側に向けて縦開きされることから、遊技中のトラブルの解消（例えば、メダルを補充することやパチンコ球の詰まりを直すこと）を、隣席の遊技者に支障を与えることなく行うことができる。
【００１５】
さらに、請求項１に係る発明の遊技機のように、前面扉を下側から上側に向けて縦開きにすれば、前面扉を開ける際に、遊技機の両側にあるサンドやサンドから横出している分煙ボード等に前面扉が衝突することがない。特に、近年では、前面扉に大きくて派手な造形物が設けられることが多いことから、前面扉を開ける際に、遊技機の両側にあるサンドやサンドから横出している分煙ボード等に前面扉が衝突することがないことは、大いに有用である。
【００１６】
また、請求項１に係る発明の遊技機では、前面扉の開閉によって伸縮する右側防護部が前面扉の上方右側端と筐体の上方右側端との間に設けられていると共に、前面扉の開閉によって伸縮する左側防護部が前面扉の上方左側端と筐体の上方左側端との間に設けられている。
【００１７】
従って、所謂「ゴト行為」等を行おうとする者は、前面扉を下側から上側に向けて縦開き角度を大きくしたととしても、前面扉と筐体の上方間には、その両側に、右側防護部と左側防護部とが前面扉の開きによって伸びている。つまり、所謂「ゴト行為」等を行おうとする者は、筐体内の上方に位置した主制御回路基板に接触するために、前面扉と筐体の上方間に手を入れようとしても、前面扉の開きによって伸びている右側防護部と左側防護部によっても阻まれる。
【００１８】
また、請求項２に係る発明は、請求項１に記載する遊技機であって、前記右側防護部と前記左側防護部とが透明であること、を特徴とする。
【００１９】
従って、請求項２に係る発明の遊技機では、透明な右側防護部と透明な左側防護部とを通じて、筐体内の作業を外部から視認することができることから、所謂「ゴト行為」等の不正行為をしているのか、あるいは、通常の作業を行っているのかを、一目瞭然に判別できる。
【発明の効果】
【００２０】
すなわち、本発明の遊技機は、前面扉の開きを介して行われる所謂「ゴト行為」等の不正行為を防止することが可能である。
【図面の簡単な説明】
【００２１】
【図１】本発明の一実施形態におけるパチスロ機の前面扉が下側から上側に向かって開けられた途中の状態を表した斜視図である。
【図２】同パチスロ機の前面扉が閉められた状態をサンドと分煙ボードと共に表した斜視図である。
【図３】同パチスロ機の筐体における内部構造を表した正面図である。
【図４】同パチスロ機の前面扉における内部構造を表した正面図である。
【図５】同パチスロ機における前面扉の縦開き機構の概略を表した左側面図である。
【図６】本発明の一実施形態におけるパチンコ機の前面扉が閉められた状態をサンドと分煙ボードとともに表した正面図である。
【図７】同パチンコ機における前面扉の縦開き機構の概略を表した側面図である。
【図８】本発明である遊技機が解決しようとする課題を説明するための図である。
【図９】本発明である遊技機が奏する効果を説明するための図である。
【発明を実施するための形態】
【００２２】
［１．パチスロ機の概要］
本発明の一実施形態について、以下図面を参照しながら説明する。本実施形態では、パチスロ機を例に説明する。
【００２３】
図２は、本実施形態のパチスロ機１をサンドＳ１と分煙ボードＢ１と共に表した斜視図である。本実施形態のパチスロ機１は、筐体２と前面扉３とを有している。前面扉３には、大きくて派手な造形物３Ｚが設けられている。図２では、前面扉３は、閉じた状態にある。
【００２４】
図１は、本実施形態のパチスロ機１のみを表した斜視図である。図１では、前面扉３が開けられた途中の状態にある本実施形態のパチスロ機１が表されている。前面扉３は、前方に開口した筐体２の上端２Ａの側において、上端２Ａと平行な横軸廻りに開閉自在に取り付けられている。つまり、前面扉３は、下側から上側に向かって開けられる縦開きである。
【００２５】
さらに、図１に表されたように、前面扉３が縦開きされると、前面扉３の右側端３Ｒと筐体２の右側端２Ｒとの間が、筐体２の上端２Ａから下端２Ｂの付近まで、透明の右側平型ジャバラ４Ｒによって塞がれる。右側平型ジャバラ４Ｒは、前面扉３の縦開きによる開閉によって扇状に伸縮する。
【００２６】
同時に、後述する図５に表されたように、前面扉３の左側端３Ｌと筐体２の左側端２Ｌとの間が、筐体２の上端２Ａから下端２Ｂの付近まで、透明の左側平型ジャバラ４Ｌによって塞がれる。左側平型ジャバラ４Ｌは、前面扉３の縦開きによる開閉によって扇状に伸縮する。
【００２７】
［２．パチスロ機における前面扉の縦開き機構等］
次に、本実施形態のパチスロ機１における前面扉３の縦開き機構等について、図３乃至図５を参照しながら説明する。
【００２８】
図３は、本実施形態のパチスロ機１の筐体２における内部構造を表した正面図である。図３に表されたように、筐体２内では、右側平型ジャバラ４Ｒの一端側が筐体２の上端２Ａから下端２Ｂの付近まで右側端２Ｒに隣接して固定されていると共に、筐体２の左側平型ジャバラ４Ｌの一端側が筐体２の上端２Ａから下端２Ｂの付近まで左側端２Ｌに隣接して固定されている。
【００２９】
また、筐体２内では、右側端２Ｒの上方に右側ガスステー５Ｒが設けられている。符号６Ｒは、右側ガスステー５Ｒの取付部である。右側ガスステー５Ｒの取付部６Ｒは、筐体２内で螺嵌されたスタッドボールに嵌め込まれている。符号７Ｒは、右側ガスステー５Ｒのシリンダである。
【００３０】
さらに、筐体２内では、左側端２Ｌの上方に左側ガスステー５Ｌが設けられている。符号６Ｌは、左側ガスステー５Ｌの取付部である。左側ガスステー５Ｌの取付部６Ｌは、筐体２内で螺嵌されたスタッドボールに嵌め込まれている。符号７Ｌは、左側ガスステー５Ｌのシリンダである。
【００３１】
右側ガスステー５Ｒの取付部６Ｒと左側ガスステー５Ｌの取付部６Ｌは、筐体２内で同じ高さに位置する。
【００３２】
また、筐体２内では、上端２Ａの右側に右側ヒンジ８Ｒがネジ固定されている。符号９Ｒは、筐体２内でネジ固定される右側ヒンジ８Ｒの取付板である。符号１０Ｒは、上端２Ａと平行な位置関係にある右側ヒンジ８Ｒの横軸である。尚、符号１１Ｒは、前面扉３内でネジ固定される右側ヒンジ８Ｒの取付板である。
【００３３】
さらに、筐体２内では、上端２Ａの左側に左側ヒンジ８Ｌがネジ固定されている。符号９Ｌは、筐体２内でネジ固定される左側ヒンジ８Ｌの取付板である。符号１０Ｌは、上端２Ａと平行な位置関係にある左側ヒンジ８Ｌの横軸である。尚、符号１１Ｌは、前面扉３内でネジ固定される左側ヒンジ８Ｌの取付板である。
【００３４】
尚、筐体２内の上方には、主制御回路基板１２が設けられている。
【００３５】
図４は、本実施形態のパチスロ機１の前面扉３における内部構造を表した正面図である。図４に表されたように、前面扉３内では、右側平型ジャバラ４Ｒの他端側が前面扉３の上端３Ａから下端３Ｂの付近まで右側端３Ｒに隣接して固定されていると共に、左側平型ジャバラ４Ｌの他端側が前面扉３の上端３Ａから下端３Ｂの付近まで左側端３Ｌに隣接して固定されている。
【００３６】
また、前面扉３内では、右側端３Ｒの上方に右側ガスステー５Ｒが設けられている。符号１３Ｒは、右側ガスステー５Ｒの取付部である。右側ガスステー５Ｒの取付部１３Ｒは、前面扉３内で螺嵌されたスタッドボールに嵌め込まれている。符号１４Ｒは、右側ガスステー５Ｒのロッドである。
【００３７】
さらに、前面扉３内では、左側端３Ｌの上方に左側ガスステー５Ｌが設けられている。符号１３Ｌは、左側ガスステー５Ｌの取付部である。左側ガスステー５Ｌの取付部１３Ｌは、前面扉３内で螺嵌されたスタッドボールに嵌め込まれている。符号１４Ｌは、左側ガスステー５Ｌのロッドである。
【００３８】
右側ガスステー５Ｒの取付部１３Ｒと左側ガスステー５Ｌの取付部１３Ｌは、前面扉３内で同じ高さに位置する。
【００３９】
また、前面扉３内では、上端３Ａの右側に右側ヒンジ８Ｒの取付板１１Ｒがネジ固定されている。さらに、前面扉３内では、上端３Ａの左側に左側ヒンジ８Ｌの取付板１１Ｌがネジ固定されている。
【００４０】
図５は、本実施形態のパチスロ機１の前面扉３の縦開き機構の概略を表した左側面図である。図３乃至図５に表されたように、本実施形態のパチスロ機１では、筐体２の上端２Ａと前面扉３の上端３Ａとが一対のヒンジ８Ｒ，８Ｌで結合されている。この結合により、前面扉３は、筐体２の上端２Ａと平行な横軸廻りに開閉自在となる。つまり、前面扉３の開閉が縦開きによって可能となる。
【００４１】
また、本実施形態のパチスロ機１では、筐体２と前面扉３とが一対のガスステー５Ｒ，５Ｌで結合されている。この結合により、前面扉３の縦開き状態を維持させることができる。
【００４２】
さらに、前面扉３の縦開き状態のときは、筐体２と前面扉３の両側間が一対の平型ジャバラ４Ｒ，４Ｌによって上端２Ａ，３Ａから下端２Ｂ，３Ｂの付近まで塞がれる。そのため、前面扉３の縦開き状態のときは、前面扉３の横開き状態のときと比べると、筐体２内の上方に位置する主制御回路基板１２から外部までの距離が長くなる。
【００４３】
［３．まとめ］
以上詳細に説明したように、本実施形態のパチスロ機１では、一対のヒンジ８Ｒ，８Ｌによって、前面扉３が筐体２の上方で横軸回りに回動自在に取り付られている。よって、前面扉３の開閉方向は、下側から上側に向かう縦開きである。また、主制御回路基板１２が筐体２内の上方に位置している。
【００４４】
従って、図８に表されたように、所謂「ゴト行為」等を行おうとする者２１は、本実施形態のパチスロ機１の筐体２内の上方に位置した主制御回路基板１２（図３，図５参照）に接触するには、前面扉３を下側から上側に向けて縦開き角度を大きくしなけければならない。
【００４５】
そのためには、所謂「ゴト行為」等を行おうとする者２１が自ら席を立たなければならず、所謂「ゴト行為」等の不正行為を行い難い。従って、店員２２やＴＶカメラ２３だけでなく、隣席に座っている他の遊技者２４，２５からも見つかり易い。また、その際に、無反応な遊技者が近隣に存在すれば、その無反応な遊技者は、所謂「ゴト行為」等の不正行為をする仲間である可能性がある。
【００４６】
また、本実施形態のパチスロ機１では、前面扉３は下側から上側に向けて縦開きされることから、遊技中のトラブルの解消（例えば、サンドＳ１にメダルを補充すること）を、隣席の遊技者２４，２５に支障を与えることなく行うことができる。
【００４７】
さらに、本実施形態のパチスロ機１のように、前面扉３を下側から上側に向けて縦開きにすれば、前面扉３を開ける際に、パチスロ機１の両側にあるサンドＳ１やサンドＳ１から横出している分煙ボードＢ１等に前面扉３が衝突することがない。特に、近年では、前面扉３に大きくて派手な造形物（例えば、図２の符号３Ｚ）が設けられることが多いことから、前面扉３を開ける際に、パチスロ機１の両側にあるサンドＳ１やサンドＳ１から横出している分煙ボードＢ１等に前面扉３が衝突することがないことは、大いに有用である。
【００４８】
また、本実施形態のパチスロ機１では、前面扉３の開閉によって伸縮する右側平型ジャバラ４Ｒが、前面扉３の右側端３Ｒと筐体２の右側端２Ｒとの間において、上端２Ａ，３Ａから下端２Ｂ，３Ｂの付近まで設けられる。と共に、前面扉３の開閉によって伸縮する左側平型ジャバラ４Ｌが、前面扉３の左側端３Ｌと筐体２の左側端２Ｌとの間において、上端２Ａ，３Ａから下端２Ｂ，３Ｂの付近まで設けられる。
【００４９】
従って、所謂「ゴト行為」等を行おうとする者２１は、所謂「ゴト行為」等の不正行為をするため、前面扉３を下側から上側に向けて縦開き角度を大きくしたととしても、前面扉３と筐体２の上方間には、その両側に、右側平型ジャバラ４Ｒと左側平型ジャバラ４Ｌとが前面扉３の開きによって伸びている。つまり、所謂「ゴト行為」等を行おうとする者２１は、筐体２内の上方に位置した主制御回路基板１２（図３，図５参照）に接触するために、前面扉３と筐体２の上方間に手を入れようとしても、前面扉３の開きによって伸びている右側平型ジャバラ４Ｒと左側平型ジャバラ４Ｌによっても阻まれる。
【００５０】
従って、本実施形態のパチスロ機１では、透明な右側平型ジャバラ４Ｒと透明な左側平型ジャバラ４Ｌとを通じて、筐体２内の作業を外部から視認することができることから、所謂「ゴト行為」等の不正行為をしているのか、あるいは、通常の作業を行っているのかを、一目瞭然に判別できる。
【００５１】
すなわち、本実施形態のパチスロ機１は、前面扉３の開きを介して行われる所謂「ゴト行為」等の不正行為を防止することが可能である。
【００５２】
［４．その他］
尚、本発明は上記実施形態に限定されるものでなく、その趣旨を逸脱しない範囲で様々な変更が可能である。
【００５３】
例えば、図６の正面図にサンドＳ２と分煙ボードＢ２と共に表されたパチンコ機５１において、本発明を実施することも可能である。
【００５４】
すなわち、図７に表されたように、パチンコ機５１では、前面扉５３が筐体５２の上方で横軸回りに回動自在に取り付られている。よって、前面扉５３の開閉方向は、下側から上側に向かう縦開きである。また、主制御回路基板５５が筐体５２内の上方に位置している。
【００５５】
また、パチンコ機５１では、前面扉５３の開閉によって伸縮する平型ジャバラ５４が前面扉５３と筐体５２の左右両側の間に設けられている。
【００５６】
このようなパチンコ機５１においても、上述したパチスロ機１の各効果を奏することが可能である。
【００５７】
特に、パチンコ機５１では、前面扉５３は下側から上側に向けて縦開きされることから、遊技中のトラブルの解消（例えば、タンクや樋のパチンコ球の詰まりを直すこと）を、隣席の遊技者２４，２５に支障を与えることなく行うことができる。
【００５８】
なお、上記では、パチンコ機５１の前面扉５３全体を開放する場合について説明したが、前面扉５３の一部を構成し、かつパチンコ球の転動により遊技が行われる遊技領域を被覆するガラス扉５６を前面扉５３とは独立して開閉可能に設け、そのガラス扉５６に本発明を適用することとしてもよい。
【００５９】
この場合、遊技領域におけるトラブルの解消（例えば、遊技領域上の球詰まり、球発射装置の不具合）について、同様の各効果を奏することができる。
【符号の説明】
【００６０】
１          パチスロ機
２          筐体
３          前面扉
４Ｌ        左側側平型ジャバラ
４Ｒ        未側側平型ジャバラ
８Ｌ        左側ヒンジ
８Ｒ        右側ヒンジ
１２、５５  主制御回路基板
５１        パチンコ機
【図１】
2015100371.tif 000003
【図２】
2015100371.tif 000004
【図３】
2015100371.tif 000005
【図４】
2015100371.tif 000006
【図５】
2015100371.tif 000007
【図６】
2015100371.tif 000008
【図７】
2015100371.tif 000009
【図８】
2015100371.tif 000010
【図９】
2015100371.tif 000011